(57)【特許請求の範囲】
【請求項１】
流れの無い閉塞性貯水域に配置され、吸水口と送水口とを有する筐体と、
該筐体内に装着され、該閉塞性貯水域内に水流を発生させて循環を行う水流用羽根車を装備する水流発生部と、
該筐体内に装着され、発電用羽根車が装備される発電部とを備え、
該水流発生部の該水流用羽根車により発生された水流により、該発電用羽根車が旋回駆動されることによって、該発電部で発電するように構成され、
該発電部で発電した電力を蓄電する蓄電部と、
ユーザが操作することに基づいて、該蓄電部と商用電源とを切り換えて該水流発生部に給電する操作指令を送信する操作部とをさらに備える、発電機能を有する水流発生装置。
【請求項２】
前記発電用羽根車は、前記水流発生部により発生された水流を整流する機能を有する、請求項１に記載の発電機能を有する水流発生装置。
【請求項３】
前記発電部は、前記水流発生部により発生された水流が送水される側に、該水流発生部に対向するように配置されている、請求項１または２に記載の発電機能を有する水流発生装置。
【請求項４】
前記発電用羽根車は、前記発電部の前記吸水口側に装備されている、請求項１〜３のいずれか１項に記載の発電機能を有する水流発生装置。
【請求項５】
前記水流発生部の前記水流用羽根車が、該水流発生部の前記送水口側に装備され、
該水流用羽根車と対向するように、前記発電部に前記発電用羽根車が装備されている、請求項４に記載の発電機能を有する水流発生装置。
【請求項６】
前記筐体内には、前記水流発生部が装着される第１部分と、前記発電部が装着される第２部分とに分割可能に構成されている、請求項１〜５のいずれか１項に記載の発電機能を有する水流発生装置。
【請求項７】
前記操作部からの操作指令に基づいて、前記蓄電部または前記商用電源からの前記水流発生部への電力の給電の制御と、前記蓄電部からの周辺機器への電力の給電の制御と、を行う制御部をさらに備える、請求項１〜６のいずれか１項に記載の発電機能を有する水流発生装置。
【請求項８】
流れの無い閉塞性貯水域に配置され、吸水口と送水口とを有する筐体と、
該筐体内に装着され、該閉塞性貯水域内に水流を発生させて循環を行う水流用羽根車を装備する水流発生部と、
該筐体内に装着され、発電用羽根車が装備される発電部と、
該水流発生部の該水流用羽根車により発生された水流により、該発電用羽根車が旋回駆動されることによって、該発電部で発電した電力を蓄電する蓄電部とを備えて、該蓄電部または商用電源からの該水流発生部への電力の給電の制御と、該蓄電部からの周辺機器への電力の給電の制御と、を行う制御部と、
ユーザにより操作されて、該制御部に該蓄電部と該商用電源とを切り換える操作指令を送信する操作部とをさらに備え、
該制御部は、該操作部から該操作指令を受信することにより、該蓄電部と該商用電源とを切り換えて該水流発生部へ電力を給電する制御を行う、発電機能を有する水流発生システム。
【発明の詳細な説明】
【技術分野】
【０００１】
この発明は、発電機能を有する水流発生装置および発電機能を有する水流発生システムに関する。
【背景技術】
【０００２】
従来、発電機能を有する水流発生装置および発電機能を有する水流発生システムが知られている（たとえば、特許文献１参照）。
【０００３】
下記特許文献１には、湖沼などの閉塞性貯水域内（水中）に配置され、羽根車を回転駆動させて閉塞性貯水域内において水流を発生させる水中ミキサを備える浄化システムが開示されている。この特許文献１に記載の浄化システムでは、閉塞性貯水域の水面上に風車（発電機）が設けられている。そして、風力により風車が回転することにより発電された電力が、水中ミキサに供給されることにより、水中ミキサの羽根車が回転駆動する。これにより、閉塞性貯水域内において水流が発生し、閉塞性貯水域の浄化が行われる。具体的には、水が滞留する死水域の水の腐敗や、アオコなどの発生に起因する悪臭の発生が抑制される。
【先行技術文献】
【特許文献】
【０００４】
【特許文献１】実開平７−１３４９９号公報
【発明の概要】
【発明が解決しようとする課題】
【０００５】
しかしながら、前記特許文献１では、風が吹かなければ風車による発電を行うことができないので、風車を風通しの良い場所に設置する必要があると共に、別途風車部を設けることから装置自体が大型化してしまう。すなわち、設置条件の場所とスペースなどに制約を受けるという問題に加えて、折角エネルギーを受けて自前で発生させた水流は、湖沼浄化の攪拌だけしか活用されずに無駄に浪費され、エネルギーとして再利用できないと言う問題を有している。
【０００６】
この発明は、前記のような課題を解決するためになされたものであり、この発明の１つの目的は、設置条件の自由度を高めると共に、可搬や仮設が可能な利便性に秀でていると共に、無駄に浪費されていた水流の流速エネルギーの再利用を可能としているので、緊急時の補助電源の確保や、商用電源の使用節電などにも対応し得る、発電機能を有する水流発生装置および発電機能を有する水流発生システムを提供することである。
【課題を解決するための手段】
【０００７】
この発明の第１の局面による発電機能を有する水流発生装置は、流れの無い閉塞性貯水域に配置され、吸水口と送水口とを有する筐体と、筐体内に装着され、閉塞性貯水域内に水流を発生させて循環を行う水流用羽根車を装備する水流発生部と、筐体内に装着され、発電用羽根車が装備される発電部とを備え、該水流発生部の該水流用羽根車により発生された水流により、該発電用羽根車が旋回駆動されることによって、該発電部で発電するように構成され、発電部で発電した電力を蓄電する蓄電部と、ユーザが操作することに基づいて、蓄電部と商用電源とを切り換えて水流発生部に給電する操作指令を送信する操作部とをさらに備える。
【０００８】
この発明の第１の局面による発電機能を有する水流発生装置では、前述のように、水流発生部の水流用羽根車により発生された水流により、発電用羽根車が旋回駆動されることによって、発電部で発電するように構成する。これにより、該水流発生装置を配置する場所を選択することなく、該水流発生装置の筐体部分が水没されていれば発電を行うことができるので、設置条件の自由度を高めることができる。また、該水流発生部の該水流用羽根車により発生された水流により該発電用羽根車が旋回駆動されることによって該発電部で発電するよう直列状に一体的に構成することによって、極めて容易に該水流発生部と該発電部とが共に水中に配置されるので、従来の水面上に風車を設けて水中の水流発生部を駆動する場合と異なり、装置の小型軽量化を図ることができる。その結果、可搬性に秀でた装置を固定的に設置せず仮設的に設置すること（重機などを使用せずに人力でも移動と設置を可能にさせること）ができる。また、発電部で発電した電力を、例えば緊急時の補助電源として水流発生装置の駆動用または照明などへの電力供給、或いは通常時の周辺機器への電力供給など、状況に応じて適切に使用をすることができる。
【０００９】
前記第１の局面による発電機能を有する水流発生装置において、好ましくは、発電用羽根車は、水流発生部により発生された水流を整流する機能を有する。このように構成すれば、水流を整流するために用いられていた整流板やガイドベーン等の部位に、整流機能を有した発電を司る羽根車を該発電用羽根車として用いて発電を行うことができるので、別途整流部品（整流板やガイドベーン等）を設ける必要がないことから小型軽量化が図れると共に、整流作用によって効率よく遠くまで水流を噴出しながら、該水流の流速エネルギーを電気エネルギーとして有効に再利用することができる。
【００１０】
前記第１の局面による発電機能を有する水流発生装置において、好ましくは、発電部は、水流発生部により発生された水流が送水される側に、該水流発生部に対向するように配置されている。このように構成すれば、例えば、誰もが経験し認知している扇風機前面の勢いの強い送風と、扇風機背面の勢いの弱い吸込風から鑑みれば、該発電部が該扇風機の背面側に相当する該水流発生部に水が吸水される勢いの弱い吸込流側に配置される場合と異なり、該扇風機の前面側に相当する該水流発生部により生じた勢いの強い送水流側に配置されることで、流速エネルギーの大きな水流を効率よく電気エネルギーに変換することができる。
【００１１】
前記第１の局面による発電機能を有する水流発生装置において、好ましくは、発電用羽根車は、発電部の吸水口側に装備されている。このように構成すれば、該発電用羽根車に流入される水流が該発電部の本体部分（発電機などを含む部分）により妨げられるのが抑制されることにより、前記扇風機の前面側に相当する前記水流発生部により生じた勢いの強い流速エネルギーの大きな送水流が抵抗なく円滑に直接、該発電用羽根車に流入されることから、更に、該水流発生部により発生された流速エネルギーの大きな水流を無駄なく効率よく電気エネルギーに変換することができる。
【００１２】
この場合、好ましくは、水流発生部の水流用羽根車が、水流発生部の送水口側に装備され、該水流用羽根車と対向するように、発電部に発電用羽根車が装備されている。このように構成すれば、該水流用羽根車と該発電用羽根車との間に該水流発生部の本体部分（モータなどを含む部分）などの水流の障害となる部材が配されていないことから、水流の損失が抑制されることにより、前述と同様に該水流発生部により生じた勢いの強い流速エネルギーの大きな送水流が、上記対向の該発電用羽根車の吸水全面に抵抗なく円滑に直接流入されることにより、前記効果より一層流速エネルギーの大きな水流を無駄なく効率よく電気エネルギーに変換されることに加えて、吸水口から十分に離れた筐体内の位置に該水流用羽根車が装備されていることから、水面まで十分な距離が取れない低水位状態の設置においても、水面からの空気巻き込みを阻止しながら、正常に該水流用羽根車の背面から吸水されるので、吸水時の空気混入による異常振動や異常摩耗など事故を防止しながら、安定した送水を行なうことができる。
【００１３】
前記第１の局面による発電機能を有する水流発生装置において、好ましくは、筐体は、その内部に水流発生部が装着される第１部分と、発電部が装着される第２部分とに分割可能に構成されている。このように構成すれば、現場に応じて、最適な水流発生能力の水流発生部や所望の発電能力の発電部に、現場条件に合わせた最適能力の発電機能を有する水流発生装置に容易に組合わせ対応を行うことができると共に、水流発生部が設けられる第１部分のみを湖沼などに配置した後に、必要に応じて（発電する必要が生じた場合に）、発電部が装着される第２部分を第１部分に接続して、発電を行うことができることに加えて、水流発生部または発電部が故障した場合でも、故障した水流発生部または発電部が装着される第１部分または第２部分のみを交換することにより、発電機能を有する水流発生装置の運転を引き続き行うことができる。
【００１５】
前記第１の局面による発電機能を有する水流発生装置において、好ましくは、操作部からの操作指令に基づいて、蓄電部または商用電源からの水流発生部への電力の給電の制御と、該蓄電部からの周辺機器への電力の給電の制御と、を行う制御部をさらに備える。このように構成すれば、ユーザによる該操作部の操作によって（ユーザの判断に基づいて）、状況に応じて適切に、該蓄電部または該商用電源からの該水流発生部への電力の給電と、該蓄電部からの周辺機器への電力の給電の制御と、を行う該制御部を備えることで、前述の如く、例えば緊急時の補助電源の確保や、該商用電源から給電を停止した状態で、該蓄電部から該制御部を介して該水流発生部に所定時間補助的に電力を供給して送水を継続することで、該商用電源の使用節電を行なうことができる。
【００１６】
この発明の第２の局面による発電機能を有する水流発生システムは、流れの無い閉塞性貯水域に配置され、吸水口と送水口とを有する筐体と、筐体内に装着され、閉塞性貯水域内に水流を発生させて循環を行う水流用羽根車を装備する水流発生部と、筐体内に装着され、発電用羽根車が装備される発電部と、該水流発生部の該水流用羽根車により発生された水流により、該発電用羽根車が旋回駆動されることによって、該発電部で発電した電力を蓄電する該蓄電部とを備えて、該蓄電部または商用電源からの該水流発生部への電力の給電の制御と、該蓄電部からの周辺機器への電力の給電の制御と、を行う制御部と、ユーザにより操作されて、制御部に蓄電部と商用電源とを切り換える操作指令を送信する操作部とをさらに備え、制御部は、操作部から操作指令を受信することにより、蓄電部と商用電源とを切り換えて水流発生部へ電力を給電する制御を行う。
【００１７】
この発明の第２の局面による発電機能を有する水流発生システムでは、前記のように、水流発生部の水流用羽根車により発生された水流により、発電用羽根車が旋回駆動されることによって、発電部で発電するように構成する。これにより、水流発生装置を配置する場所を選択することなく、該水流発生装置の筐体部分が水没されていれば発電を行うことができるので、設置条件の自由度を高めることができる。また、該水流発生部の該水流用羽根車により発生された水流により該発電用羽根車が旋回駆動されることによって該発電部で発電するよう直列状に一体的に構成することによって、極めて容易に該水流発生部と該発電部とが共に水中に配置されるので、従来の水面上に風車を設けて水中の水流発生部を駆動する場合と異なり、装置の小型軽量化を図ることが可能な発電機能を有する水流発生システムを提供することができる。また、該蓄電部または商用電源からの該水流発生部への電力の給電の制御と、該蓄電部からの周辺機器への電力の給電の制御と、を行う制御部を備えることによって、ユーザによる操作部の操作によって（ユーザの判断に基づいて）、状況に応じて適切に、該蓄電部または該商用電源から該水流発生部への電力の給電と、該蓄電部から周辺機器への電力の給電の制御とを行うことで、前述の如く、例えば緊急時の補助電源の確保や、該商用電源から給電を停止した状態で、該蓄電部から制御部を介して該水流発生部に所定時間補助的に電力を供給して送水を継続することで、該商用電源の使用節電が可能な、発電機能を有する水流発生システムを提供することができる。
【発明の効果】
【００１８】
本発明によれば、前述のように、発電機能を有する水流発生装置および発電機能を有する水流発生システムにおいて、設置条件の自由度を高めると共に可搬が可能な利便性に秀でていると共に、無駄に浪費されていた水流の流速エネルギーの再利用をすることができるので、緊急時の補助電源の確保や、商用電源の使用節電などの効果を有している。
【図面の簡単な説明】
【００１９】
【図１】本発明の第１実施形態による発電機能を有する水流発生装置および発電機能を有する水流発生システムの全体構成を示した概略図である。
【図２】本発明の第１実施形態による発電機能を有する水流発生装置の水流発生部および発電部を示した断面図である。
【図３】本発明の第１実施形態による発電機能を有する水流発生装置の水流発生部および発電部を示した平面図である。
【図４】本発明の第２実施形態による発電機能を有する水流発生装置の水流発生部および発電部を示した断面図である。
【発明を実施するための形態】
【００２０】
以下、本発明の実施形態を図面に基づいて説明する。
【００２１】
（第１実施形態）
図１〜図３を参照して、本発明の第１実施形態について説明する。第１実施形態による発電機能を有する水流発生装置１００は、湖沼などの水が滞留する死水の閉塞性貯水域２００内の水中に筐体１０部分が配置されて、発電を行うように構成されている。なお、発電機能を有する水流発生装置１００は、本発明の「発電機能を有する水流発生システム」の一例である。
【００２２】
図１に示すように、発電機能を有する水流発生装置１００は、吸水口１１と送水口１２とを有する筐体１０を備えている。筐体１０は、円筒形状を有しており、該吸水口１１と該送水口１２とには、それぞれ、望ましくはフランジ１３などの接続具が設けられているが、ワンタッチ継ぎ手としてもよい。また、該水流発生装置１００の該筐体１０は、閉塞性貯水域２００の水底２０１に配置されている。
【００２３】
また、図２に示すように、水流発生装置１００は、水流発生部２０を備えている。該水流発生部２０は、筐体１０内に装着されている。具体的には、該水流発生部２０は、該筐体１０内の吸水口１１側（Ｘ１方向側）に装着されている。また、該水流発生部２０には、水流を発生させる水流用羽根車２１が装備されている。
【００２４】
ここで、第１実施形態では、水流発生部２０の水流用羽根車２１が、該水流発生部２０の送水口１２側（Ｘ２方向側）に装備されている。すなわち、該水流発生部２０の本体部分２２（モータなどを含む部分）は、該水流発生部２０の吸水口１１側（Ｘ１方向側）に配置されている。
【００２５】
また、水流発生装置１００は、発電部３０を備えている。該発電部３０は、筐体１０内に装着されている。具体的には、該発電部３０は、該筐体１０内の送水口１２側（Ｘ２方向側）に装着されている。すなわち、該発電部３０は、該水流発生部２０により発生された水流が送水される側（下流側、Ｘ２方向側）に、該水流発生部２０に対向するように配置されている。
【００２６】
また、第１実施形態では、発電部３０には、発電用羽根車３１が装備されている。該発電用羽根車３１は、該発電部３０の吸水口１１側（Ｘ１方向側）に装備されている。すなわち、水流発生部２０の送水口１２側（Ｘ２方向側）に装備される水流用羽根車２１と対向するように、該発電部３０に該発電用羽根車３１が装備されている。つまり、該発電部３０の本体部分３２（発電機などを含む部分）は、送水口１２側（Ｘ２方向側）に配置されている。なお、該水流用羽根車２１と該発電用羽根車３１とは、側方（Ｙ方向、図２参照）から見ても、上方（Ｚ１方向、図３参照）から見ても、互いに対向するように配置されている。そして、該水流発生部２０の該水流用羽根車２１により発生された水流を受けて、該発電用羽根車３１が旋回駆動されることによって、発電部３０で発電するように構成されている。
【００２７】
また、第１実施形態では、水流発生部２０の水流用羽根車２１を旋回駆動することで送水される旋回流を発電用羽根車３１で受けることで、該旋回流の旋回を含めた速度エネルギーが該発電用羽根車３１に伝達されることで、該発電用羽根車３１が旋回駆動されて発電エネルギーに変換されると同時に、該旋回流の旋回を抑制させながら送水口１２から整流送水されることにより、送水口１２からの広角噴流による急激な速度エネルギーの損失が抑制されるので、遠方まで効率よく送水攪拌することができる。
【００２８】
また、図１に示すように、水流発生装置１００は、発電部３０で発電した電力を蓄電する蓄電部４１を備えている。該蓄電部４１は、該発電部３０に接続されると共に、制御部４２に接続されている。なお、例えば該蓄電部４１には、電力変換装置（図示せず）など、該発電部３０で発電した電力を該蓄電部４１に蓄電するために必要な装置が装備されている。
【００２９】
また、水流発生装置１００は、制御部４２を備えている。制御部４２は、水流発生部２０、蓄電部４１、操作部４３、および、商用電源５１、周辺機器５２に接続されている。そして、該制御部４２は、該操作部４３からの操作指令に基づいて、該蓄電部４１または商用電源５１からの該水流発生部２０への電力の給電の制御と、該蓄電部４１からの該周辺機器５２への電力の給電の制御と、を行うように構成されている。
【００３０】
具体的には、制御部４２は、通常時は、操作部４３からの操作指令に基づいて、商用電源５１から制御部４２を介して水流発生部２０に電力を供給して水流用羽根車２１を旋回駆動させることにより、効率よく遠くまで噴出する水流を発生させるように構成されている。また、該制御部４２は、通常時において、該操作部４３からの操作指令に基づいて、該商用電源５１から蓄電部４１に切り替えられて該商用電源５１からの給電が停止されることで、該蓄電部４１から該制御部４２を介して該水流発生部２０に所定時間補助的に電力を供給して該水流用羽根車２１を旋回駆動させることにより、水流を発生させるように構成されている。すなわち、水流発生装置１００は、該蓄電部４１に蓄えられた電力が補助電力として使用可能に構成されている。これにより、該商用電源５１の使用の抑制（節電）が図られる。
【００３１】
また、制御部４２は、停電時などの異常時は、操作部４３からの操作指令に基づいて、蓄電部４１から制御部４２を介して水流発生部２０に電力を供給して水流用羽根車２１を旋回駆動させることにより、水流を発生させるように構成されている。すなわち、水流発生装置１００は、災害時などの停電時（緊急時）においても、運転を継続することが可能である。
【００３２】
また、制御部４２は、操作部４３からの操作指令に基づいて、通常時において、蓄電部４１から周辺機器５２へ電力を給電することにより、周辺機器５２を動作させ、また、災害等の異常緊急時においては補助電源としても活用できるように構成されている。該周辺機器５２は、たとえば、閉塞性貯水域２００内の水を計測する計測機器（流量計、溶存酸素計など）や、水流発生装置１００を構成する機器の故障などを通報する通報機器や、照明機器などを含む。
【００３３】
また、水流発生装置１００は、操作部４３を備えている。操作部４３には、図示しないボタンなどが設けられており、ユーザがボタンなどを操作することによって、制御部４２に操作指令が送信されるように構成されている。
【００３４】
このように、水流発生装置１００は、水流発生部２０の水流用羽根車２１により発生した水流の循環作用によって、水質を改善し、該水流発生装置１００が配置される湖沼などの環境浄化を行うように構成されている。また、該水流発生装置１００は、従来、湖沼などの水の循環にのみ用いられていた水流の流速エネルギー（水の運動エネルギー）を電気エネルギーに変換して利用（再生）することにより、湖沼などの環境浄化（環境改善）を行いながら地球にやさしいクリーンなエネルギーを、該水流発生装置１００自身の補助的な電力や周辺機器５２（計測機器、通報機器、照明機器など）の電力、或いは災害等の異常緊急時の補助電源の電力として利用することが可能に構成されている。
【００３５】
第１実施形態では、以下のような効果を得ることができる。
【００３６】
第１実施形態では、前記のように、水流発生部２０の水流用羽根車２１により発生された水流により、発電用羽根車３１が旋回駆動されることによって、発電部３０で発電するように構成する。これにより、水流発生装置１００を配置する場所を選択することなく、該水流発生装置１００の筐体１０部分が水没されていれば発電を行うことができるので、設置条件の自由度を高めることができる。また、該水流発生部２０の該水流用羽根車２１により発生された水流により発電用羽根車３１が旋回駆動されることによって発電部３０で発電するよう直列状に一体的に構成することによって、極めて容易に該水流発生部２０と該発電部３０とが共に水中に配置されるので、従来の水面上に風車を設けて水中の水流発生部２０を駆動する場合と異なり、装置の小型軽量化（省スペース化）を図ることができる。その結果、可搬性に秀でた装置を固定的に設置せず仮設的に設置すること（重機などを使用せずに人力でも移動と設置を可能にさせること）ができる。
【００３７】
また、第１実施形態では、前記のように、発電用羽根車３１を、水流発生部２０により発生された水流を整流する機能を有するように構成する。これにより、水流を整流するために用いられていた整流板やガイドベーン等の部位に、整流機能を有した発電を司る羽根車を該発電用羽根車３１として用いて発電を行うことができるので、別途整流部品（整流板やガイドベーン等）を設ける必要がないことから小型軽量化が図れると共に、整流作用によって効率よく遠くまで水流を噴出しながら、該水流の流速エネルギーを電気エネルギーとして有効に再利用することができる。
【００３８】
また、第１実施形態では、前記のように、発電部３０を、水流発生部２０により発生された水流が送水される側に、該水流発生部２０に対向するように配置する。これにより、例えば、誰もが経験し認知している扇風機前面の勢いの強い送風と、扇風機背面の勢いの弱い吸込風から鑑みれば、該発電部３０が該扇風機の背面側に相当する該水流発生部２０に水が吸水される勢いの弱い吸込流側に配置される場合と異なり、該扇風機の前面側に相当する該水流発生部２０により生じた勢いの強い送水流側に配置されることで、流速エネルギーの大きな水流を効率よく電気エネルギーに変換することができる。
【００３９】
また、第１実施形態では前記のように、発電用羽根車３１を、発電部３０の吸水口１１側に装備する。これにより、該発電用羽根車３１に流入される水流が該発電部３０の本体部分３２（発電機などを含む部分）により妨げられるのが抑制されることにより、前記扇風機の前面側に相当する前記水流発生部２０により生じた勢いの強い流速エネルギーの大きな送水流が抵抗なく円滑に直接、該発電用羽根車３１に流入されることから、更に、該水流発生部２０により発生された流速エネルギーの大きな水流を無駄なく効率よく電気エネルギーに変換することができる。
【００４０】
また、第１実施形態では、前記のように、水流発生部２０の水流用羽根車２１を、該水流発生部２０の送水口１２側に装備して、該水流用羽根車２１と対向するように、発電部３０に発電用羽根車３１を装備する。これにより、該水流用羽根車２１と該発電用羽根車３１との間に該水流発生部２０の本体部分２２（モータなどを含む部分）などの水流の障害となる部材が配置されていないことから、水流の損失が抑制されることにより、前述と同様に該水流発生部２０により生じた勢いの強い流速エネルギーの大きな送水流が、上記対向の該発電用羽根車３１の吸水全面に抵抗なく円滑に直接流入されることから、前記効果より一層流速エネルギーの大きな水流を無駄なく効率よく電気エネルギーに変換されることに加えて、吸水口１１から十分に離れた筐体１０内の位置に該水流用羽根車２１が装備されていることから、水面まで十分な距離が取れない低水位状態の設置においても、水面からの空気巻き込みを阻止しながら、正常に該水流用羽根車２１の背面から吸水されるので、吸水時の空気混入による異常振動や異常摩耗など事故を防止しながら、安定した送水を行なうことができる。
【００４１】
また、第１実施形態では、前記のように、発電部３０で発電した電力を蓄電する蓄電部４１を設ける。これにより、該発電部３０で発電した電力を、例えば緊急時の補助電源として水流発生装置２０の駆動用または照明などへの電力供給、或いは通常時の周辺機器５２への電力供給など、状況に応じて適切に使用をすることができる。
【００４２】
また、第１実施形態では、前記のように、操作部４３からの操作指令に基づいて、蓄電部４１または商用電源５１からの水流発生部２０への電力の給電の制御と、該蓄電部４１からの周辺機器５２への電力の給電の制御と、を行う制御部４２を設ける。これにより、ユーザによる該操作部４３の操作によって（ユーザの判断に基づいて）、状況に応じて適切に、蓄電部４１または商用電源５１からの水流発生部２０への電力の給電と、該蓄電部４１からの該周辺機器５２への電力の給電とを切り替えることができるので、前述の如く、例えば緊急時の補助電源の確保や、該商用電源５１から給電を停止した状態で、該蓄電部４１から該制御部４２を介して該水流発生部２０に所定時間補助的に電力を供給して送水を継続することで、該商用電源５１の使用節電を行なうことができる。
【００４３】
（第２実施形態）
次に、図４を参照して、本発明の第２実施形態について説明する。この第２実施形態では、筐体１０が、分割可能に構成されている。
【００４４】
図４に示すように、第２実施形態による発電機能を有する水流発生装置１００は、筐体１０を備えている。該筐体１０は、その内部に水流発生部２０が装着される第１部分１１１と、発電部３０が装着される第２部分１１２とに分割可能に構成されている。具体的には、該筐体１０は、該筐体１０が延びる方向（Ｘ方向）において、Ｘ１方向側の該第１部分１１１と、Ｘ２方向側の該第２部分１１２とに分割可能に構成されている。また、該第１部分１１１の吸水口１１側（Ｘ１方向側）に望ましくはフランジ１１４などの接続具が設けられているが、ワンタッチ継ぎ手としてもよいと共に、Ｘ２方向側にも望ましくはフランジ１１５が設けられているが、ワンタッチ継ぎ手としてもよい。また、該第２部分１１２の送水口１２側（Ｘ２方向側）にも望ましくはフランジ１１７が設けられているが、ワンタッチ継ぎ手としてもよいと共に、Ｘ１方向側にも望ましくはフランジ１１８が設けられているが、ワンタッチ継ぎ手としてもよい。そして、該第１部分１１１と該第２部分１１２とは、望ましくは該フランジ１１５とフランジ１１８とによって接合されるように構成されている。
【００４５】
また、水流発生部２０が装着される第１部分１１１と、発電部３０が装着される第２部分１１２とは、それぞれ、単体で（互いに分離した状態で）持ち運び可能に構成されている。
【００４６】
なお、第２実施形態のその他の構成は、前記第１実施形態と同様である。
【００４７】
第２実施形態では、以下のような効果を得ることができる。
【００４８】
第２実施形態では、前記のように、筐体１０を、その内部に水流発生部２０が装着される第１部分１１１と、発電部３０が装着される第２部分１１２とに分割可能に構成する。これにより、現場に応じて、最適な水流発生能力の該水流発生部２０や所望の発電能力の該発電部３０に、現場条件に合わせた最適能力の発電機能を有する水流発生装置１００に容易に組合わせ対応を行うことができると共に、該水流発生部２０が設けられる該第１部分１１１のみを湖沼などに配置した後に、必要に応じて（発電する必要が生じた場合に）、該発電部３０が装着される該第２部分１１２を該第１部分１１１に接続して、発電を行うことができることに加えて、該水流発生部２０または該発電部３０が故障した場合でも、故障した該水流発生部２０または該発電部３０が装着される該第１部分１１１または該第２部分１１２のみを交換することにより、発電機能を有する水流発生装置１００の運転を引き続き行うことができる。
【００４９】
なお、第２実施形態のその他の効果は、前記第１実施形態と同様である。
【００５０】
なお、今回開示された実施形態は、すべての点で例示であって制限的なものではないと考えられるべきである。本発明の範囲は、前記した実施形態の説明ではなく特許請求の範囲によって示され、さらに特許請求の範囲と均等の意味および範囲内でのすべての変更（変形例）が含まれる。
【００５２】
また、前記第１および第２実施形態では、水流発生装置１００を湖沼などの閉塞性貯水域２００の水底２０１に配置する例を示したが、本発明はこれに限らない。たとえば、水流発生装置１００の筐体１０部分を水底２０１から離間させた位置に配置してもよい。
【００５３】
また、前記第１および第２実施形態では、発電部３０を、水流発生部２０により発生された水流が送水される側（水流発生部の下流側）に配置する例を示したが、本発明はこれに限らない。たとえば、該発電部３０を、該水流発生部２０により発生された水流が吸水される側（水流発生部２０の上流側）に配置してもよい。
【００５４】
また、前記第１および第２実施形態では、発電用羽根車３１を、発電部３０の吸水口側（Ｘ１方向側、図２参照）に装備する例を示したが、本発明はこれに限らない。たとえば、該発電用羽根車３１を、該発電部３０の送水口側（Ｘ２方向側）に装備してもよい。
【００５５】
また、前記第１および第２実施形態では、水流用羽根車２１を、水流発生部２０の送水口側（Ｘ２方向側、図２参照）に装備する例を示したが、本発明はこれに限らない。たとえば、該水流用羽根車２１を、該水流発生部３０の吸水口側（Ｘ１方向側）に装備してもよい。
【００５６】
また、前記第１および第２実施形態では、筐体１０が円筒状（筐体１０の内径が筐体の全体において略同一）である例を示したが、本発明はこれに限らない。たとえば、該筐体１０の内径を変化させて、該筐体１０内の水の流速を変化させるようにしてもよい。具体的には、該筐体１０の長手方向の中央部近傍の内径を小さくして、流速を増加させるようにしてもよい。
【００５７】
また、前記第１および第２実施形態では、水流発生装置１００に蓄電部４１と制御部４２とが備えられる例を示したが、本発明はこれに限らない。たとえば、該蓄電部４１と該制御部４２とを水流発生装置１００と別個に設けてもよい。
【符号の説明】
【００５８】
１０  筐体
１１  吸水口
１２  送水口
２０  水流発生部
２１  水流用羽根車
３０  発電部
３１  発電用羽根車
４１  蓄電部
４２  制御部
４３  操作部
５１  商用電源
５２  周辺機器
１００、１０１  発電機能を有する水流発生装置（発電機能を有する水流発生システム）
１１１  第１部分
１１２  第２部分
【図１】
0006462277.tif 000002
【図２】
0006462277.tif 000003
【図３】
0006462277.tif 000004
【図４】
0006462277.tif 000005